(57)【要約】【課題】  構造の簡素化等を図る。【解決手段】  押圧操作される被操作部６と、該被操作部の操作に応じて変位され所定の機能を実行するためのスイッチを押圧するスイッチ押圧部７と、所定の位置に固定された被固定部８と、被操作部と被固定部の間に設けられたヒンジ部９とを設け、ヒンジ部に、被操作部に対する操作時に撓んで弾性変形される弾性変形部９ａと、該弾性変形部の一端部から突出され被操作部側に位置すると共にスイッチ押圧部と一体となって変位される変位部９ｂと、弾性変形部の他端部から変位部と略同じ方向へ突出されると共に変位部に対向して被固定部側に位置し変位部の変位を規制して弾性変形部の変形量を制御する規制部９ｃとを設けた。【選択図】        図５
2008198512.tif 000002
【特許請求の範囲】
【請求項１】
電子機器に設けられ所定の機能を実行するために操作される操作釦であって、
押圧操作される被操作部と、
該被操作部の操作に応じて変位され所定の機能を実行するためのスイッチを押圧するスイッチ押圧部と、
所定の位置に固定された被固定部と、
被操作部と被固定部の間に設けられたヒンジ部とを備え、
被操作部とスイッチ押圧部と被固定部とヒンジ部とが一体に形成され、
ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けた
ことを特徴とする操作釦。
【請求項２】
被固定部に、被操作部に対する操作方向に延びる押圧力受部を設けた
ことを特徴とする請求項１に記載の操作釦。
【請求項３】
スイッチ押圧部に、被操作部に対する操作方向に延びる押圧力保持を設けた
ことを特徴とする請求項１に記載の操作釦。
【請求項４】
被固定部に配置孔を形成し、
該配置孔にスイッチ押圧部の一部を配置した
ことを特徴とする請求項１に記載の操作釦。
【請求項５】
所定の機能を実行するために操作される操作釦を備えた電子機器であって、
操作釦に、押圧操作される被操作部と、該被操作部の操作に応じて変位され所定の機能を実行するためのスイッチを押圧するスイッチ押圧部と、所定の位置に固定された被固定部と、被操作部と被固定部の間に設けられたヒンジ部とを設け、
被操作部とスイッチ押圧部と被固定部とヒンジ部とが一体に形成され、
ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けた
ことを特徴とする電子機器。
【発明の詳細な説明】
【技術分野】
【０００１】
本発明は操作釦及び電子機器についての技術分野に関する。詳しくは、被操作部に対する操作時に変位する変位部の変位を規制する規制部を設けて構造の簡素化等を図る技術分野に関する。
【背景技術】
【０００２】
各種の電子機器には所定の機能を実行するために押圧操作される操作釦が配置されている。
【０００３】
このような押圧操作される操作釦が配置された電子機器にあっては、操作釦を操作したときに所定の部分（変形部）が弾性変形されて電子機器の内部に配置されたスイッチが押圧されることにより所定の機能が実行されるものがある。このとき変形部の変形量が大きいと、操作釦の破損やスイッチに対して必要以上の負荷が生じるため、変形部の変形量が必要以上に大きくならないように制御されている。
【０００４】
従来の電子機器に配置された操作釦にあっては、変形部の必要以上の変形を規制するために、電子機器の内部に変形部を受ける規制部材が操作釦とは別部材として配置されている（例えば、特許文献１参照）。
【０００５】
【特許文献１】特開２００１−１７６３５０号公報
【発明の開示】
【発明が解決しようとする課題】
【０００６】
ところが、特許文献１に記載された電子機器にあっては、変形部を受ける規制部材が操作釦とは別部材として配置されているため、その分、内部機構が複雑となり、機構の簡素化を阻害することになる。
【０００７】
また、規制部材を配置するための専用のスペースが必要となり、その分、電子機器が大型となってしまう。
【０００８】
そこで、本発明操作釦及び電子機器は、構造の簡素化等を図ることを課題とする。
【課題を解決するための手段】
【０００９】
本発明操作釦は、押圧操作される被操作部と、該被操作部の操作に応じて変位され所定の機能を実行するためのスイッチを押圧するスイッチ押圧部と、所定の位置に固定された被固定部と、被操作部と被固定部の間に設けられたヒンジ部とを設け、被操作部とスイッチ押圧部と被固定部とヒンジ部とを一体に形成し、ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けたものである。
【００１０】
本発明電子機器は、操作釦に、押圧操作される被操作部と、該被操作部の操作に応じて変位され所定の機能を実行するためのスイッチを押圧するスイッチ押圧部と、所定の位置に固定された被固定部と、被操作部と被固定部の間に設けられたヒンジ部とを設け、被操作部とスイッチ押圧部と被固定部とヒンジ部とを一体に形成し、ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けたものである。
【００１１】
従って、本発明操作釦及び電子機器にあっては、被操作部に対する操作時に変位される変位部が規制部に接して変位部の変位が規制される。
【発明の効果】
【００１２】
本発明操作釦は、電子機器に設けられ所定の機能を実行するために操作される操作釦であって、押圧操作される被操作部と、該被操作部の操作に応じて変位され所定の機能を実行するためのスイッチを押圧するスイッチ押圧部と、所定の位置に固定された被固定部と、被操作部と被固定部の間に設けられたヒンジ部とを備え、被操作部とスイッチ押圧部と被固定部とヒンジ部とが一体に形成され、ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けたことを特徴とする。
【００１３】
従って、変位部の変位を規制する専用の部材を必要とせず、構造の簡素化を図ることができる。
【００１４】
請求項２に記載した発明にあっては、被固定部に、被操作部に対する操作方向に延びる押圧力受部を設けたので、操作時の力に対する抵抗力が大きく、被固定部の変形や位置ずれを防止することができる。
【００１５】
請求項３に記載した発明にあっては、スイッチ押圧部に、被操作部に対する操作方向に延びる押圧力保持を設けたので、操作時の力が分散され難く、小さな力で被操作部に対する押圧操作を行うことが可能となり、操作性の向上を図ることができる。
【００１６】
請求項４に記載した発明にあっては、被固定部に配置孔を形成し、該配置孔にスイッチ押圧部の一部を配置したので、操作釦の小型化を図ることができる。
【００１７】
本発明電子機器は、所定の機能を実行するために操作される操作釦を備えた電子機器であって、操作釦に、押圧操作される被操作部と、該被操作部の操作に応じて変位され所定の機能を実行するためのスイッチを押圧するスイッチ押圧部と、所定の位置に固定された被固定部と、被操作部と被固定部の間に設けられたヒンジ部とを設け、被操作部とスイッチ押圧部と被固定部とヒンジ部とが一体に形成され、ヒンジ部に、被操作部に対する操作時に撓んで弾性変形される弾性変形部と、該弾性変形部の一端部から突出され被操作部側に位置すると共にスイッチ押圧部と一体となって変位される変位部と、弾性変形部の他端部から変位部と略同じ方向へ突出されると共に変位部に対向して被固定部側に位置し変位部の変位を規制して弾性変形部の変形量を制御する規制部とを設けたことを特徴とする。
【００１８】
従って、変位部の変位を規制する専用の部材を必要とせず、構造の簡素化を図ることができる。
【発明を実施するための最良の形態】
【００１９】
以下に、本発明操作釦及び電子機器を実施するための最良の形態を添付図面に従って説明する。
【００２０】
以下に示した最良の形態は、本発明電子機器を、ディスク状記録媒体に対する情報信号の記録及び再生を行うディスクドライブ装置に適用し、本発明操作釦を、このディスクドライブ装置に設けられた操作釦に適用したものである。尚、本発明電子機器又は操作釦の適用範囲はディスクドライブ装置又はこれに設けられる操作釦に限られることはなく、他の各種の電子機器又はこれに設けられる操作釦に広く適用することができる。
【００２１】
電子機器（ディスクドライブ装置）１は、外筐２内に所要の各部が配置されて成る（図１参照）。
【００２２】
外筐２は、例えば、扁平な箱状に形成され、前方に開口する箱状に形成された本体パネル３と該本体パネル３の前端部に取り付けられたフロントパネル４とを有している。
【００２３】
フロントパネル４は後方に開口された横長の箱状に形成されている。フロントパネル４の前面部４ａには、複数の釦配置孔４ｂ、４ｂ、・・・が左右に離隔して形成されている（図２参照）。フロントパネル４の前面部４ａの内面には後方へ突出された押さえ突部４ｃ、４ｃが左右に離隔して設けられている（図２に一つのみ示す。）。
【００２４】
フロントパネル４の内部には操作釦５、５、・・・の一部を除いた部分が配置され、該操作釦５、５、・・・の一部がフロントパネル４の釦配置孔４ｂ、４ｂ、・・・から外部へ突出されている。
【００２５】
操作釦５、５、・・・は、例えば、左右方向において連結され一体となって構成され（図３参照）、樹脂材料によって一体に形成されている。尚、操作釦５、５、・・・の連結数は任意であり、また、一つのみの単体の操作釦５であってもよい。
【００２６】
操作釦５は、図３及び図４に示すように、押圧操作される被操作部６と、該被操作部６の操作に応じて変位されるスイッチ押圧部７と、外筐２の内部において固定された被固定部８と、被操作部６と被固定部８の間に設けられたヒンジ部９とを有している。
【００２７】
被操作部６は横長のブロック状に形成され前端部がフロントパネル４の釦配置孔４ｂから前方へ突出されている。被操作部６には後斜め上方へ突出された光遮蔽突部６ａが設けられている。光遮蔽突部６ａは後述する光源から出射された光の釦配置孔４ｂからの外部への漏れを制限する機能を有する。
【００２８】
スイッチ押圧部７は被操作部６の下端部の左右方向における中央部に連続して設けられ、被操作部６に対する操作方向である後斜め下方へ延び被操作部６に連続して設けられた押圧力保持部７ａと、該押圧力保持部７ａの下端部に設けられ前後方向を向く中間部７ｂと、該中間部７ｂから後方へ突出された押圧突部７ｃとから成る。
【００２９】
被固定部８は、それぞれ前後に延びる基部８ａ、８ａと、該基部８ａ、８ａの前端部からそれぞれ前斜め上方へ突出された押圧力受部８ｂ、８ｂと、基部８ａ、８ａの後端部からそれぞれ下方へ突出された柱部８ｃ、８ｃと、該柱部８ｃ、８ｃの下端部からそれぞれ後方へ突出された位置決め用突部８ｄ、８ｄと、柱部８ｃ、８ｃの下端部間を連結し左右に延びる連結部８ｅとから成る。被固定部８には柱部８ｃ、８ｃ間に空間が形成され、この空間が配置孔８ｆとして形成されている。被固定部８には柱部８ｃ、８ｃと連結部８ｄにそれぞれ前後に貫通された固定用孔８ｇ、８ｇ、８ｇが形成されている。
【００３０】
被固定部８は基部８ａ、８ａ、押圧力受部８ｂ、８ｂ、柱部８ｃ、８ｃ及び位置決め用突部８ｄ、８ｄがそれぞれ左右に離隔して位置され、柱部８ｃ、８ｃ間に形成された配置孔８ｆにスイッチ押圧部７の中間部７ｂが位置されている。
【００３１】
ヒンジ部９は、被操作部６に対する操作方向に延びる弾性変形部９ａと、該弾性変形部９ａの前端部から前斜め下方へ突出された変位部９ｂと、弾性変形部９ａの後端部から前斜め下方へ突出された規制部９ｃとから成り、側方から見て全体としてＵの字状に形成されている。変位部９ｂの下端部は被操作部６の後端部に連続されている。規制部９ｃは被固定部７の押圧力保持部７ａの前端部に連続されている。
【００３２】
外筐２の内部には前後方向を向く回路基板１０が配置され、該回路基板１０の前面に上下に離隔して光源１１とスイッチ１２が搭載されている。スイッチ１２はスイッチ押圧部７の押圧突部７ｃの後方に近接して位置されている。
【００３３】
操作釦５は、フロントパネル４の押さえ突部４ｃ、４ｃが被固定部８の連結部８ｅに突き当てられると共に被固定部８の位置決め用突部８ｄ、８ｄが回路基板１０の前面に突き当てられてフロントパネル４に対する位置決めが行われる。操作釦５は、フロントパネル４に対する位置決めが行われた状態において、被固定部８の固定用孔８ｇ、８ｇ、８ｇにフロントパネル４に設けられた図示しない固定用ピンがそれぞれ挿入されており、該固定用ピンが加締められて固定される。
【００３４】
被操作部６が図５に示すＦ方向へ押圧されて操作されると、図５に示すように、被操作部６に対する操作に伴ってヒンジ部９の弾性変形部９ａが弾性変形され変位部９ｂが規制部９ｃに近付く方向へ変位される。このとき被操作部６に伴ってスイッチ押圧部７が変位され押圧突部７ｃによってスイッチ１２が押圧される。スイッチ１２が押圧されると、操作釦５の種類に応じた機能、例えば、ディスク状記録媒体に対する情報信号の記録動作や再生動作等が実行される。
【００３５】
被操作部６が操作されたときには、上記したように、ヒンジ部９の変位部９ｂが規制部９ｃに近付く方向へ変位されるが、変位部９ｂが規制部９ｃに接することにより変位部９ｂの変位が規制され弾性変形部９ａの変形量が制御される。
【００３６】
被操作部６に対する操作が解除されると、図２に示すように、ヒンジ部９の弾性変形部９ａが弾性復帰され、変位部９ｂ及びスイッチ押圧部７が元の位置に戻り押圧突部７ｃがスイッチ１２から前方へ離隔される。
【００３７】
以上に記載した通り、電子機器１にあっては、操作釦５に変位部９ｂの変位を規制して弾性変形部９ａの変形量を制御する規制部９ｃを設けているため、変位部９ｂの変位を規制する専用の部材を必要とせず、操作釦５に関する構造の簡素化を図ることができる。
【００３８】
また、変位部９ｂの変位を規制する専用の部材を必要としないため、その分、電子機器１の小型化を図ることができる。
【００３９】
操作釦５においては、被固定部８に押圧力受部８ａを設け、該押圧力受部８ａを被操作部６に対する操作方向に延びるように形成しているため、操作時の力に対する抵抗力が大きく、被固定部８の変形や位置ずれを防止することができる。
【００４０】
また、操作釦５においては、スイッチ押圧部７に押圧力保持部７ａを設け、該押圧力保持部７ａを被操作部６に対する操作方向に延びるように形成しているため、操作時の力が分散され難く、小さな力で被操作部６に対する押圧操作を行うことが可能となり、操作性の向上を図ることができる。
【００４１】
さらに、操作釦５においては、被固定部８の配置孔８ｆにスイッチ押圧部７の一部である中間部７ｂを配置しているため、操作釦５の小型化による電子機器１の小型化を図ることができる。
【００４２】
加えて、被固定部８の配置孔８ｆにスイッチ押圧部７の一部である中間部７ｂを配置することにより操作釦５を小型化することができるため、操作釦５の周辺に、例えば、光源１１等の配置スペースを十分に確保することが可能となる。
【００４３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４４】
【図１】図２乃至図５と共に本発明の最良の形態を示すものであり、本図は、電子機器の斜視図である。
【図２】操作釦に対する操作が行われていない状態を示す拡大断面図である。
【図３】操作釦の拡大斜視図である。
【図４】操作釦の拡大側面図である。
【図５】操作釦に対する操作が行われている状態を示す拡大断面図である。
【符号の説明】
【００４５】
１…電子機器、５…操作釦、６…被操作部、７…スイッチ押圧部、７ａ…押圧力保持部、８…被固定部、８ｂ…押圧力受部、８ｆ…配置孔、９…ヒンジ部、９ａ…弾性変形部、９ｂ…変位部、９ｃ…規制部、１２…スイッチ
【図１】
2008198512.tif 000003
【図２】
2008198512.tif 000004
【図３】
2008198512.tif 000005
【図４】
2008198512.tif 000006
【図５】
2008198512.tif 000007